(57)【要約】【課題】ファントムや患者の頭部等の被検体が所定の傾きでセットされなかった場合であっても適切な情報を取得することが可能な医用画像処理装置を提供することである。【解決手段】実施形態に係る医用画像処理装置は、参照画像生成部、補正量取得部及び画像生成部を有する。参照画像生成部は、画像診断装置において収集された被検体の投影データのうち画像再構成範囲における投影データの一部に対する画像再構成処理によって参照画像データを生成する。補正量取得部は、前記画像再構成範囲における前記投影データの、前記参照画像データに基づく位置補正量を取得する。画像生成部は、前記画像再構成範囲における前記投影データに対する、前記位置補正量に応じた位置補正を含む画像再構成処理によって前記画像再構成範囲に対応する画像データを生成する。【選択図】  図５
2015152320.tif 000002
【特許請求の範囲】
【請求項１】
画像診断装置において収集された被検体の投影データのうち画像再構成範囲における投影データの一部に対する画像再構成処理によって参照画像データを生成する参照画像生成部と、
前記画像再構成範囲における前記投影データの、前記参照画像データに基づく位置補正量を取得する補正量取得部と、
前記画像再構成範囲における前記投影データに対する、前記位置補正量に応じた位置補正を含む画像再構成処理によって前記画像再構成範囲に対応する画像データを生成する画像生成部と、
を有する医用画像処理装置。
【請求項２】
前記補正量取得部は、前記参照画像データの中心位置のずれ量及び傾きのずれ量の少なくとも一方を前記位置補正量として取得するように構成される請求項１記載の医用画像処理装置。
【請求項３】
前記画像生成部は、逆投影法による画像再構成処理を実行するように構成される請求項１又は２記載の医用画像処理装置。
【請求項４】
前記画像生成部は、前記参照画像データの中心位置のずれ量に応じた量だけ中心位置が補正され、かつ前記参照画像データの傾きのずれ量に応じた量だけ傾きが補正された画像データが生成されるような画像再構成処理を実行するように構成される請求項１乃至３のいずれか１項に記載の医用画像処理装置。
【請求項５】
前記参照画像生成部は、前記画像再構成範囲における前記投影データの前記又は他の一部に対する、前記位置補正量に応じた位置補正を含む画像再構成処理によって前記参照画像データを更新させるように構成される請求項１乃至４のいずれか１項に記載の医用画像処理装置。
【請求項６】
前記補正量取得部は、前記参照画像データを参照した入力装置の操作によって前記位置補正量を取得するように構成される請求項１乃至５のいずれか１項に記載の医用画像処理装置。
【請求項７】
前記補正量取得部は、入力装置の操作によって平行移動及び回転移動の少なくとも一方を行うことが可能な図形を前記参照画像データとともに表示装置に表示させ、前記入力装置の操作による前記図形の移動量として前記参照画像データの中心位置のずれ量及び傾きのずれ量の少なくとも一方を前記位置補正量として取得するように構成される請求項１乃至６のいずれか１項に記載の医用画像処理装置。
【請求項８】
前記補正量取得部は、前記参照画像データの、予め特定された複数の領域における各重心の位置に基づいて、前記図形の中心位置及び傾きを決定するように構成される請求項７記載の医用画像処理装置。
【請求項９】
前記補正量取得部は、前記参照画像データに対するデータ処理によって前記位置補正量を自動的に取得するように構成される請求項１乃至５のいずれか１項に記載の医用画像処理装置。
【請求項１０】
前記補正量取得部は、ファントム又は患者の頭部が描出された参照画像データに基づいて前記位置補正量を取得するように構成される請求項１乃至９のいずれか１項に記載の医用画像処理装置。
【請求項１１】
前記参照画像生成部は、SPECT装置、PET装置又はＸ線CT装置において収集された投影データに基づいて前記参照画像データを生成するように構成される請求項１乃至１０のいずれか１項に記載の医用画像処理装置。
【請求項１２】
前記画像生成部は、核医学診断装置の放射線検出器に設けられるコリメータの開口補正、減弱補正、前記放射線検出器の回転中心補正及び前記コリメータの穴位置補正の少なくとも１つ並びに前記位置補正を含む画像再構成処理を実行するように構成される請求項１乃至１１のいずれか１項に記載の医用画像処理装置。
【発明の詳細な説明】
【技術分野】
【０００１】
本発明の実施形態は、医用画像処理装置に関する。
【背景技術】
【０００２】
従来、単光子放出コンピュータ断層(SPECT: single photon emission computed tomography)装置では、品質管理のための物理評価として、ファントムの撮影を行って線応答関数(LSF: line spread function)の半値幅(FWHM: full width at half maximum)を測定することが求められている。具体的には、ファントムから収集したデータの再構成結果に基づいてLSFが求められ、求められたLSFのFWHMが測定される。そして、LSFのFWHMに基づいて分解能の評価が行われる。
【先行技術文献】
【非特許文献】
【０００３】
【非特許文献１】"ガンマカメラの性能測定法と表示法(Test Condition and its Expressions of Gamma Camera Performances)"、社団法人  日本画像医用システム工業会(Japanese Engineering Standards of Radiological Apparatus)、JESRA X-0051*B-2009、制定1985年1月15日
【発明の概要】
【発明が解決しようとする課題】
【０００４】
LSFを求める際には、ファントムが傾かないように正確な向きで設置することが重要である。ファントムが傾いた状態でデータ収集を行い、再構成すると傾きの補正が必要となる。傾きの補正は、MPR (multi planar reconstructions)処理によって行うことができる。或いは、LSFの向きを表すカーソルを斜めに設定することによって傾きの補正が実行される。その結果、補間によるFWHMの変動が問題となる。また、LSFの向きを表すカーソルの位置にばらつきが生じたり、再現性が低下するという問題がある。
【０００５】
更に、ファントムに限らず、患者を撮像する場合においても、被検体が適切な向きでセットされることが望まれる。これは、SPECT装置以外のモダリティにおいても同様である。しかしながら、被検体の向きを適切にセットすることが困難な場合がある。例えば、SPECT装置による頭部の撮像時間は他のモダリティと比べて比較的長い。このため、撮像中に頭部が傾く恐れがある。
【０００６】
そこで、本発明は、ファントムや患者の頭部等の被検体が所定の傾きでセットされなかった場合であっても適切な情報を取得することが可能な医用画像処理装置を提供することを目的とする。
【課題を解決するための手段】
【０００７】
本発明の実施形態に係る医用画像処理装置は、参照画像生成部、補正量取得部及び画像生成部を有する。参照画像生成部は、画像診断装置において収集された被検体の投影データのうち画像再構成範囲における投影データの一部に対する画像再構成処理によって参照画像データを生成する。補正量取得部は、前記画像再構成範囲における前記投影データの、前記参照画像データに基づく位置補正量を取得する。画像生成部は、前記画像再構成範囲における前記投影データに対する、前記位置補正量に応じた位置補正を含む画像再構成処理によって前記画像再構成範囲に対応する画像データを生成する。
【図面の簡単な説明】
【０００８】
【図１】本発明の実施形態に係る医用画像処理装置を内蔵した画像診断装置の一例としてのSPECT装置の構成図。
【図２】図１に示す補正量取得部により表示装置に表示されるグラフィカルユーザインタフェース(GUI: Graphical User Interface)の一例を示す図。
【図３】図２に示す十字カーソルをファントムが描出された画像データに基づいて自動的に回転及び平行移動させる方法を示す図。
【図４】画像再構成処理における投影データの座標系と画像データの座標系との関係を示す図。
【図５】図１に示すSPECT装置及び医用画像処理装置の動作を示すフローチャート。
【発明を実施するための形態】
【０００９】
本発明の実施形態に係る医用画像処理装置について添付図面を参照して説明する。
【００１０】
医用画像処理装置は、画像診断装置において患者やファントム等の被検体から収集された投影データに対する画像再構成処理によって医用画像データを生成する装置である。従って、医用画像処理装置は、画像診断装置に内蔵又は画像診断装置とネットワークを介して接続される。医用画像処理装置が画像診断装置とネットワークを介して接続される場合には、ワークステーション等の大規模なコンピュータに医用画像処理プログラムを読込ませることによって医用画像処理装置を構築することができる。但し、医用画像処理装置を構築するために回路を用いてもよい。
【００１１】
画像再構成処理によって医用画像データを生成することが可能な投影データを被検体から収集する画像診断装置としては、SPECT装置や陽電子放出コンピュータ断層(PET: positron emission computed tomography)装置等の核医学診断装置の他、Ｘ線CT (computed tomography)装置が挙げられる。従って、医用画像処理装置では、SPECT装置、PET装置又はX線CT装置において収集された投影データに基づいて医用画像データを生成することができる。
【００１２】
図１は本発明の実施形態に係る医用画像処理装置を内蔵した画像診断装置の一例としてのSPECT装置の構成図である。
【００１３】
図１は、SPECT装置１に医用画像処理装置２を内蔵した例を示している。以下、図１に示す医用画像処理装置２、すなわちSPECT装置１において収集された投影データに基づいて医用画像データを生成する場合を例に説明する。
【００１４】
SPECT装置１は、放射線検出器３を備えたスキャナとしての架台４、予め放射性同位体(RI: radio isotope)が投与された患者又はファントム等の被検体Ｏをセットするための寝台５、スキャナを制御する制御系６、放射線検出器３において収集された投影データに基づいて医用画像データを生成するデータ処理系７、入力装置８及び表示装置９を備えている。尚、図１に示す例では、寝台５に複数の棒状部材を平行に配置して構成されるファントムが被検体Ｏとして寝台５に設置されている。
【００１５】
架台４は、駆動機構１０を備え、放射線検出器３は駆動機構１０によって架台４の回転軸を中心に被検体Ｏの周りを回転できるように構成される。また、放射線検出器３は、被検体Ｏに投与されたRIから放出されるガンマ(γ)線の入射方向を制御するためのコリメータ１１を入射側に設けたガンマカメラ１２で構成される。ガンマカメラ１２は、コリメータ１１の他、シンチレータ１３、光電子増倍管(PMT: Photomultiplier Tube)１４及びデータ収集部１５を用いて構成される。
【００１６】
データ処理系７は、ガンマカメラ１２から出力される投影データを再構成することにより、被検体Ｏ内部におけるRIの分布に応じた画素値を有する画像データを生成するシステムである。従って、医用画像処理装置２は、データ処理系７の構成要素としてSPECT装置１に内蔵される。医用画像処理装置２は、参照画像生成部１６、補正量取得部１７及び画像生成部１８で構成することができる。
【００１７】
参照画像生成部１６は、SPECT装置１において収集された被検体Ｏの投影データのうち画像再構成範囲における投影データの一部に対する画像再構成処理によってファントム又は患者の頭部等の被検体Ｏが描出された参照画像データを生成する機能を有する。すなわち、参照画像生成部１６は、所定フレーム分の画像データの再構成処理を試行することによって、実際に必要となる全ての画像データの再構成処理に先立って参照画像データを確認用に生成する機能を有している。
【００１８】
補正量取得部１７は、画像再構成範囲における投影データの、参照画像データに基づく位置補正量を取得する機能を有する。すなわち、補正量取得部１７は、画像再構成処理の試行によって生成された所定フレーム分の参照画像データに基づいて、実際に必要となる全ての画像データの再構成処理に先立って投影データの位置補正量を取得する機能を有している。
【００１９】
具体的には、参照画像データの中心位置のずれ量及び傾きのずれ量の少なくとも一方を投影データの位置補正量として取得することができる。投影データの位置補正量は、参照画像データを参照した入力装置８の操作によって手動で決定することができる。或いは、補正量取得部１７が、参照画像データに対するデータ処理によって自動的に投影データの位置補正量を取得するようにしてもよい。
【００２０】
投影データの位置補正量を入力装置８の操作によって決定する場合には、補正量取得部１７が投影データの位置補正量を設定するためのGUIを表示装置９に表示させる。
【００２１】
図２は、図１に示す補正量取得部１７により表示装置９に表示されるGUIの一例を示す図である。
【００２２】
図２は投影データの位置補正量を設定するためのGUIと、投影データの画像再構成範囲及び参照画像データの生成対象となるスライスを設定するためのGUIとを表示装置９に並列表示させた例を示している。すなわち、図２(A), (B)の左側に投影データの画像再構成範囲及び参照画像データの生成対象となるスライスを設定するためのGUIが表示され、図２(A), (B)の右側に投影データの位置補正量を設定するためのGUIが表示されている。
【００２３】
図２(A)は投影データの位置補正量を設定する前におけるGUIの初期状態を示す。表示装置９の左側には、スライス方向における位置及び範囲を選択することができるように、投影データが表示されている。そして、スライス方向における投影データを参照して二点鎖線で示すような画像再構成範囲を設定することができる。更に、破線で示すように、投影データの画像再構成処理に先立って、参照画像データの生成対象となる任意のスライス位置を設定することができる。
【００２４】
参照画像データの生成対象となるスライスが選択されると、参照画像生成部１６は、選択されたスライス位置における投影データの画像再構成処理を実行する。この結果、参照画像データが生成される。そうすると、補正量取得部１７は、生成された参照画像データを、投影データの位置補正量の指定用のGUIとして表示させる。
【００２５】
更に、補正量取得部１７は、入力装置８の操作によって平行移動及び回転移動の少なくとも一方を行うことが可能な図形を参照画像データとともにGUIとして表示装置９に表示させる。これにより、補正量取得部１７は、入力装置８の操作による図形の移動量として参照画像データの中心位置のずれ量及び傾きのずれ量の少なくとも一方を位置補正量として取得することが可能となる。
【００２６】
図２(A)に示す例では、十字カーソルが、投影データの位置補正量を入力するための図形として参照画像上に表示されている。初期状態では、十字カーソルは、互いに中点において交差する水平方向の線分及び鉛直方向の線分となる。一方、図２(A)に示す例では、中心及び四方に配置された５本の棒状部材を２つのリング状部材で固定したファントムの断面が参照画像に描出されている。このため、ファントムの断面として描出された５つの点が十字カーソル上となるように、入力装置８の操作によって十字カーソルを回転及び平行移動させることができる。
【００２７】
そうすると、補正量取得部１７は、十字カーソルの平行移動量及び回転移動量を、投影データの位置補正量として取得することができる。図２(B)は入力装置８の操作によって十字カーソルを移動させることによって投影データの位置補正量を設定した状態を示す。すなわち、中央の点が十字カーソルの中心となるように十字カーソルが平行移動されている。更に、四方の各点がそれぞれ十字カーソル上となるように、十字カーソルが回転移動されている。
【００２８】
上述のように、投影データの位置補正量は、自動的に算出することもできる。例えば、参照画像データの、予め特定された複数の領域における各重心の位置に基づいて、十字カーソル等の図形の中心位置及び傾きを決定することができる。
【００２９】
図３は図２に示す十字カーソルをファントムが描出された画像データに基づいて自動的に回転及び平行移動させる方法を示す図である。
【００３０】
図３に示すように、ファントムの断面画像には、５つの円形の断面が描出される。そこで、二点鎖線で示すようなファントムの断面が描出され得る５つの領域を設定し、各領域内において画素値の重心を計算することができる。そうすると、ファントムの位置及び傾きに応じた５つの点の位置を求めることができる。このため、５つの点の位置からの各距離が最小となるような十字カーソルの位置及び傾きを自動的に求めることができる。
【００３１】
また、ファントムに限らず、頭部等の撮影部位が描出された参照画像データに基づいて投影データの位置補正量を決定することもできる。具体例として、頭部が描出された参照画像データ上に、平行移動及び回転移動の少なくとも一方を行うことが可能な十字カーソル等の図形を表示させることができる。そして、入力装置８の操作によって図形を平行移動及び回転移動させることができる。これにより、頭部が描出された参照画像を参照した手動による投影データの位置補正量の設定が可能となる。
【００３２】
更に、頭部の解剖学情報を用いたテンプレートマッチングを行えば、頭部の参照画像データに基づく投影データの位置補正量の設定を自動的に行うことができる。これは、頭部以外の撮影部位についても同様である。
【００３３】
投影データの位置補正量が設定された場合には、参照画像生成部１６が参照画像データを更新させるようにすることができる。例えば、図２に示す例であれば、十字カーソルの回転及び平行移動に追従してリアルタイムに参照画像データを更新させることができる。更新表示させる参照画像データは、初期の参照画像データの生成用に指定された画像再構成範囲における投影データの一部に限らず、他の一部としてもよい。
【００３４】
参照画像データの更新は、投影データの一部に対する、位置補正量に応じた位置補正を含む画像再構成処理によって行うことができる。具体的には、平行移動量及び回転角度が位置補正パラメータとして求められ、位置補正パラメータを用いた位置補正を伴う画像再構成処理によって参照画像データの更新を行うことができる。
【００３５】
例えば、十字カーソルの移動によって平行移動量及び回転移動量が入力された場合には、十字カーソルの中心が画像データの中心となり、かつ十字カーソルを構成する２つの直交する線分がそれぞれ水平方向及び鉛直方向となるような平行移動量及び回転移動量が位置補正パラメータとして求められる。つまり、入力された平行移動量及び回転移動量をキャンセルするための平行移動量及び回転移動量が位置補正パラメータとして設定される。そうすると、位置補正パラメータは、線形のアフィン(affine)変換を行うためのパラメータとなる。
【００３６】
位置補正パラメータが求められると、画像再構成処理の演算式に代入される。SPECT装置１における画像再構成処理のアルゴリズムとして代表的なのは、フィルタ補正逆投影(FBP: filtered back projection)法である。FBP法による画像再構成処理は、投影データをフーリエ空間でフィルタ処理することによってボケを補正した後に逆投影処理によって画像データを再構成する処理である。
【００３７】
図４は画像再構成処理における投影データの座標系と画像データの座標系との関係を示す図である。
【００３８】
図４に示すように、画像データf(x, y)のxy座標系に対して角度θだけ傾いたXY座標系を用いて投影データg(X, θ)を表すことができる。そうすると、FBP法によるフーリエ空間における投影データg(X, θ)のフィルタ処理は式(1)で表されるコンボリューション法によって実空間で実行することができる。
【数１】
2015152320.tif 000003
但し、式(1)において、q(X, θ)はフィルタ処理後の投影データを、g(X, θ)はフィルタ処理前における投影データを、h(X)は式(2)で表される関数を、それぞれ示す。
【数２】
2015152320.tif 000004
但し、式(2)において、ωは座標Xに共役な周波数を、H(ω)はXに共役な周波数ωをパラメータとするフィルタ関数である。
【００３９】
式(1)で求められるフィルタ処理後の投影データq(X, θ)の逆投影演算によって画像データf(x, y)を再構成することができる。
【００４０】
従って、十字カーソルの中心が参照画像データのxy座標系の中心となり、かつ十字カーソルを構成する２つの直交する線分がそれぞれx軸及びy軸上となるように投影データ及び画像データの座標系を定義すればよい。よって、位置補正パラメータは、投影データと画像データとの間における座標変換パラメータを補正するパラメータとなる。
【００４１】
画像再構成処理の代表的なアルゴリズムとしては、上述したFBP法等の逆投影法の他、逐次近似法及び解析的方法が知られている。逐次近似法による画像再構成処理の場合には、画像データから投影データの推定値を計算する処理が繰返し実行される。このため、投影データの推定値の計算において、常に位置補正前の投影データが求められるように、位置補正パラメータの極性を反転した座標変換が実行される。
【００４２】
このような位置補正を伴う画像再構成処理によって、位置補正後の参照画像データを生成及び更新表示させることができる。例えば、図２に示すように十字カーソルを用いて位置補正量が指定される場合には、十字カーソルの中心が参照画像の中心となり、十字カーソルを構成する線分が水平方向及び鉛直方向となるように参照画像を再構成して表示させることができる。
【００４３】
画像生成部１８は、画像再構成範囲における投影データに対する、位置補正量に応じた位置補正を含む画像再構成処理によって画像再構成範囲に対応する画像データを生成する機能を有する。具体的には、画像生成部１８は、参照画像データの中心位置のずれ量に応じた量だけ中心位置が補正され、かつ参照画像データの傾きのずれ量に応じた量だけ傾きが補正された画像データが生成されるような画像再構成処理を実行する機能を有している。すなわち、参照画像データの更新のための位置補正を伴う画像再構成処理と同様な画像再構成処理を画像再構成範囲における投影データに施すことによって、位置補正された画像データを生成することができる。
【００４４】
また、通常、FBP法等の画像再構成処理の前処理として、放射線検出器３に設けられるコリメータ１１の開口補正、減弱補正、放射線検出器３の回転中心補正及びコリメータ１１の穴位置補正等の処理が実行される。そこで、画像生成部１８は、放射線検出器３に設けられるコリメータ１１の開口補正、減弱補正、放射線検出器３の回転中心補正及びコリメータ１１の穴位置補正の少なくとも１つとともに位置補正を含む画像再構成処理を実行できるように構成される。
【００４５】
画像生成部１８において生成された画像データは、表示装置９に表示させることができる。また、一旦、位置補正された画像データを生成及び表示させた後に、再び位置補正前の画像データを生成及び表示させることもできる。もちろん、画像データの生成及び表示後において位置補正量の変更を行うこともできる。
【００４６】
次にSPECT装置１及び医用画像処理装置２の動作および作用について説明する。ここでは、参照画像を参照して手動で投影データの位置補正量を指定する場合を例に説明する。
【００４７】
図５は、図１に示すSPECT装置１及び医用画像処理装置２の動作を示すフローチャートである。
【００４８】
まずステップＳ１において、SPECT装置１による被検体Ｏの撮影が実行される。これにより、放射線検出器３において被検体Ｏの投影データが収集される。
【００４９】
次に、ステップＳ２において、画像データを生成するための画像再構成範囲が設定される。画像再構成範囲は、図２(A)の左側に示すようなGUIを通じた入力装置８の操作によってスライス方向における範囲として設定することができる。次に、ステップＳ３において、試行的な画像再構成処理の対象となるスライス位置が指定される。このスライス位置も図２(A)の左側に示すようなGUIを通じた入力装置８の操作によって設定することができる。
【００５０】
次に、ステップＳ４において、参照画像生成部１６は、指定されたスライス位置に対応する投影データの画像再構成処理によって被検体Ｏが描出された初期の参照画像データを生成する。次に、ステップＳ５において、参照画像生成部１６は、生成した参照画像データを表示装置９に出力させる。これにより、図２(A)の右側に示すような参照画像がGUIとして表示装置９に表示される。
【００５１】
次に、ステップＳ６において、補正量取得部１７は、平行移動及び回転移動の少なくとも一方を行うことが可能な図形として、例えば十字カーソルを表示装置９に表示させる。十字カーソルの表示は、電子キーの押下等をトリガとして行うことができる。
【００５２】
次に、ステップＳ７において、補正量取得部１７は、十字カーソルの中心位置及び向きが適切であることを示す指示が入力装置８から入力されたか否かを判定する。十字カーソルの中心位置及び向きが適切でない場合には、ステップＳ８において、入力装置８の操作によって十字カーソルが回転移動及び平行移動される。
【００５３】
次に、ステップＳ９において、補正量取得部１７は、十字カーソルの回転移動量及び平行移動量を取得する。次に、ステップＳ１０において、補正量取得部１７は、十字カーソルの回転移動量及び平行移動量に基づいて座標変換パラメータとして投影データの位置補正パラメータを算出する。
【００５４】
次に、ステップＳ１１において、参照画像生成部１６は、位置補正パラメータを用いた位置補正を伴う画像再構成処理によって、選択されたスライス位置における参照画像データを生成する。位置補正を伴う参照画像データの生成は、電子キーの押下等をトリガとして開始することができる。生成された参照画像データは、ステップＳ５において表示装置９に表示される。これにより、表示装置９に表示された参照画像が更新される。
【００５５】
次に、ステップＳ６において、補正量取得部１７は、再び十字カーソルを参照画像上に表示させる。このため、ユーザは、十字カーソルの移動による位置補正量の指定が適切であるか否かを確認することができる。位置補正量の指定が適切でない場合には、ステップＳ８からステップＳ１１、ステップＳ５及びステップＳ６における位置補正量の設定、参照画像の更新表示及び十字カーソルの再表示を繰返し行うことができる。
【００５６】
そして、位置補正量の指定が適切であることが確認された場合には、入力装置８の操作による電子キーの押下等によって十字カーソルの中心位置及び向きが適切であることを示す指示を補正量取得部１７に入力することができる。そうすると、ステップＳ７において、補正量取得部１７は、十字カーソルの中心位置及び向きが適切であることを示す指示が入力装置８から入力されたと判定し、投影データの位置補正量として位置補正パラメータを画像生成部１８に与える。
【００５７】
次に、ステップＳ１２において、画像生成部１８は、位置補正パラメータを用いた位置補正を伴う画像再構成処理を画像再構成範囲に含まれる投影データに対して実行する。この際、画像生成部１８は、減弱補正、コリメータ１１の開口補正、コリメータ１１の穴位置補正、回転中心補正等の前処理も実行する。これにより、投影データとの間における中心位置のずれ及び傾きのずれが補正された画像データが再構成される。
【００５８】
生成された画像データは表示装置９に表示される。このため、ユーザは、適切な位置及び向きで被検体Ｏが描出された画像を観察することが可能となる。尚、リセットボタン等の押下によって、位置補正を伴わない画像再構成処理の結果を表示させることもできる。その場合、再び位置補正量の設定を行うこともできる。
【００５９】
つまり以上のようなSPECT装置１及び医用画像処理装置２は、目的とする画像データを生成するための再構成処理に先立って、任意の位置において位置及び傾きの補正量を設定するための試し再構成処理を行うようにしたものである。更に、SPECT装置１及び医用画像処理装置２は、設定された位置及び傾きの補正量をパラメータとして位置補正を伴う再構成処理によって目的とする画像データを生成するようにしたものである。
【００６０】
このため、SPECT装置１及び医用画像処理装置２によれば、再構成処理中における線形のアフィン変換として簡易に投影データの中心位置及び投影角度を補正することができる。従って、画像データを生成した後に位置補正のための画像処理を実行する場合に比べて、データ処理を簡易にできる。すなわち、１回のデータ処理によって位置補正された画像データを生成することができる。加えて、FWHMの減少を低減させることもできる。
【００６１】
このため、ファントムを用いた品質管理用のデータ測定の場合であれば、ファントムを傾けて設置しても精度を劣化させることなくデータ測定を行うことができる。
【００６２】
一方、頭部等の撮影部位の撮影であれば、撮影部位が傾いている場合や撮影部位の中心位置がずれている場合であっても、任意のスライス位置を選択して補正量を指示するのみで全てのスライス位置における撮影部位の傾き及び位置を簡易に補正することができる。そして、適切な位置及び向きで撮影部位が描出された診断画像データを生成することができる。特に、脳における血流の撮影であれば、頭部が適切な位置及び向きで描出されるため、標準脳との比較等の比較読影が容易となる。
【００６３】
以上、特定の実施形態について記載したが、記載された実施形態は一例に過ぎず、発明の範囲を限定するものではない。ここに記載された新規な方法及び装置は、様々な他の様式で具現化することができる。また、ここに記載された方法及び装置の様式において、発明の要旨から逸脱しない範囲で、種々の省略、置換及び変更を行うことができる。添付された請求の範囲及びその均等物は、発明の範囲及び要旨に包含されているものとして、そのような種々の様式及び変形例を含んでいる。
【符号の説明】
【００６４】
１  SPECT装置
２  医用画像処理装置
３  放射線検出器
４  架台
５  寝台
６  制御系
７  データ処理系
８  入力装置
９  表示装置
１０  駆動機構
１１  コリメータ
１２  ガンマカメラ
１３  シンチレータ
１４  光電子増倍管(PMT: Photomultiplier Tube)
１５  データ収集部
１６  参照画像生成部
１７  補正量取得部
１８  画像生成部
Ｏ  被検体
【図１】
2015152320.tif 000005
【図２】
2015152320.tif 000006
【図３】
2015152320.tif 000007
【図４】
2015152320.tif 000008
【図５】
2015152320.tif 000009